(57)【要約】【課題】透光性カバーのライト本体への装着に際し、装着が確実に行われたか否かが分かりやすくできる照明装置を提供する。【解決手段】照明装置は、ライト本体と、ライト本体に着脱自在に装着される透光性カバーとを備え、ライト本体（１０１）に透光性カバー（８１）が装着される際に装着音を発生する音発生手段（１５３）を有している。【選択図】図８
2016219161.tif 000002
【特許請求の範囲】
【請求項１】
ライト本体と、前記ライト本体に着脱自在に装着される透光性カバーとを備える照明装置において、
前記ライト本体に前記透光性カバーが装着される際に装着音を発生する音発生手段を有している
照明装置。
【請求項２】
前記ライト本体は前記透光性カバーを装着するための装着部を有し、
前記装着部は前記音発生手段を備えている
請求項１に記載の照明装置。
【請求項３】
前記透光性カバーと前記装着部は、前記透光性カバーを前記ライト本体に対して装着方向に移動させたときに互いに係合する構造を有し、
前記透光性カバーは互いに係合する係合凸部と係合凹部との一方を有し、
前記装着部は前記係合凸部と前記係合凹部との他方を有する
請求項２に記載の照明装置。
【請求項４】
前記透光性カバーは前記係合凸部を有し、
前記装着部は前記係合凹部を有し、
前記装着部は、前記係合凸部が前記移動軌道上で移動するのを規制する規制領域を有し、
前記音発生手段は、前記係合凸部の移動軌道上であって前記装着方向において前記規制領域の手前に設けられている
請求項３に記載の照明装置。
【請求項５】
前記音発生手段は、前記移動中の前記係合凸部に接触して前記係合凸部の突出方向に変形するばね体である
請求項４に記載の照明装置。
【発明の詳細な説明】
【技術分野】
【０００１】
本発明はライト本体と透光性カバーとを備える照明装置に関する。
【背景技術】
【０００２】
近年、環境意識の高まりから、省電力化に優れたＬＥＤの光源への使用が普及してきた。さらに最近は、天井直付け型のシーリングライトにおいても、ＬＥＤを使用した装置が開発され、市場に導入されてきている。
【０００３】
このようなシーリングライトとして、例えば、ライト本体とライト本体に着脱自在に装着される透光性カバーとを有し、透光性カバーをライト本体に装着される際に、透光性カバーの取付具をライト本体の受具に係合させるようなものがある（例えば、特許文献１参照）。
【先行技術文献】
【特許文献】
【０００４】
【特許文献１】特開２０１４−５３２４５号公報
【発明の概要】
【発明が解決しようとする課題】
【０００５】
従来から、透光性カバーのライト本体への装着に際し、取付具が受具に係合したのか否かが分かり難いという課題がある。
本発明は、上記の課題に鑑み、透光性カバーのライト本体への装着に際し、装着が確実に行われたか否かが分かりやすくできる照明装置を提供することにある。
【課題を解決するための手段】
【０００６】
本発明に係る照明装置は、ライト本体と、前記ライト本体に着脱自在に装着される透光性カバーとを備える照明装置において、前記ライト本体に前記透光性カバーが装着される際に装着音を発生する音発生手段を有している。
【発明の効果】
【０００７】
上記構成によれば、装着音の有無により装着が確実に行われたか否かが分かる。
【図面の簡単な説明】
【０００８】
【図１】実施形態の照明装置の外観斜視図である。
【図２】実施形態のシーリングライトの断面図である。
【図３】実施形態のシーリングライトの分解斜視図である。
【図４】実施形態のライト本体の保護カバーを一部外した状態を前方から見た図である。
【図５】実施形態の装着部を係合凸部が挿入する側から見た斜視図である。
【図６】実施形態の装着部を係合凸部が挿入する側と反対側から見た斜視図である。
【図７】実施形態のばね体の斜視図である。
【図８】実施形態の透光性カバーのライト本体への装着を説明する図である。
【発明を実施するための形態】
【０００９】
＜概要＞
本発明の一態様に係る照明装置は、ライト本体と、前記ライト本体に着脱自在に装着される透光性カバーとを備える照明装置において、前記ライト本体に前記透光性カバーが装着される際に装着音を発生する音発生手段を有している。
別態様に係る照明装置において、前記ライト本体は前記透光性カバーを装着するための装着部を有し、前記装着部は前記音発生手段を備えている。これにより透光性カバーの重量化を防止し、装着作業を容易に行うことができる。
別態様に係る照明装置において、前記透光性カバーと前記装着部は、前記透光性カバーを前記ライト本体に対して装着方向に移動させたときに互いに係合する構造を有し、前記透光性カバーは互いに係合する係合凸部と係合凹部との一方を有し、前記装着部は前記係合凸部と前記係合凹部との他方を有する。これにより装着作業を容易にできる。
【００１０】
別態様に係る照明装置において、前記透光性カバーは前記係合凸部を有し、前記装着部は前記係合凹部を有し、前記装着部は、前記係合凸部が前記移動軌道上で移動するのを規制する規制領域を有し、前記音発生手段は、前記係合凸部が前記規制領域に入るときに前記装着音を発生する。これにより、装着の際に装着音が発生すると、係合凸部が規制領域に存在することとなり、透光性カバーがライト本体から外れるのを防止できる。
別態様に係る照明装置において、前記音発生手段は、前記移動中の前記係合凸部に接触して前記係合凸部の突出方向に変形するばね体である。これにより音発生手段を簡単に構成できる。
【００１１】
＜実施形態＞
以下に本発明の一態様である照明装置について図面を参照しながら詳細に説明する。ここでは、照明装置の一例としてシーリングライトについて説明する。
【００１２】
１．シーリングライト
シーリングライト１の概略を図１及び図２を主に用いて説明する。
シーリングライト１は天井等の設置面７に取り付けられて使用される。シーリングライト１は、ライト本体１１と、ライト本体１１に着脱自在に装着される透光性カバー１３とで構成されている。透光性カバー１３はライト本体１１における設置面７と反対側を覆う。なお、シーリングライト１から光が出射される側を、表側、前側とする。
ライト本体１１は設置面７の被取付部材９にアダプタ１５を介して付け外し自在に取り付けられる。この後に透光性カバー１３をライト本体１１に装着することで、シーリングライト１が設置面７に取り付けられる。
被取付部材９として例えばロゼット、引掛けシーリング等がある。アダプタ１５は被取付部材９に着脱自在に取り付けられる。
【００１３】
（１）ライト本体
ライト本体１１を図２〜図４を主に使用して説明する。
ライト本体１１は、複数のＬＥＤ２１から構成される光源部２３、光源部２３の点灯・消灯を制御するための回路部２５、中央に開口２６を有し開口２６の周りに光源部２３を搭載する搭載部２７、アダプタ１５に付け外し自在に取り付けられる取付部２９、透光性カバー１３を装着するための装着部３１を少なくとも有している。
ライト本体１１は、上記構成以外に、例えば、光源部２３を覆う光源カバー部３３、回路部２５を収容する回路収容部３５、搭載部２７の開口２６を覆うセンタカバー部３７の少なくとも１つを有してもよい。
以下、各部について説明する。
【００１４】
（１−１）光源部
光源部２３を図３及び図４を主に使用して説明する。
光源部２３は、複数個のＬＥＤ２１と、複数個のＬＥＤ２１を実装するための１枚又は複数枚（ここでは８枚である。）の実装基板４１とを有する。複数個のＬＥＤ２１は光色が異なる複数種類が用いられている。ここでの複数個のＬＥＤ２１は、電球色と昼光色との２種類からなり、異なる給電路で電力が給電される。複数枚の実装基板４１は中央が開口するように環状に配され、周方向に隣接する実装基板４１はリード線により接続される。
【００１５】
（１−２）回路部
回路部２５を図２及び図３を主に使用して説明する。
回路部２５は、複数個の電子部品４３，４５と、複数個の電子部品４３，４５が実装される１枚又は複数枚（ここでは１枚である。）の回路基板４７とを有する。なお、便宜上、複数個の電子部品のうち、２個の電子部品に符号「４３」、「４５」を付している。
複数個の電子部品４３，４５により、整流回路、平滑回路、電圧変換回路等が構成される。
【００１６】
（１−３）搭載部
搭載部２７を図２〜図４を主に使用して説明する。
搭載部２７は中央に開口２６を有する板状をしている。開口２６にはアダプタ１５が嵌合する。ここでの搭載部２７の概観形状は床側（表側）から見たときに円形状をしているが、例えば外観形状が正方形、長方形等の他の形状であってもよい。
搭載部２７の表面には、開口２６が存在する側から外側に向けて、光源部２３を搭載するための光源部領域、光源カバー部３３を取り付けるための光源カバー取付部領域、装着部３１を設けるための装着部領域が設けられている。搭載部２７の裏面における開口２６の周辺部には取付部２９を搭載するための取付部領域が設けられている。
【００１７】
（１−４）取付部
取付部２９を図２及び図３を主に使用して説明する。
取付部２９は底壁に開口を有する有底筒状をしている。筒壁の前端が搭載部２７に当接し且つ底壁の裏面が回路収容部３５に当接する状態で、取付部２９の開口の周辺部が回路収容部３５に固定される。取付部２９のアダプタ１５への取り付けはアダプタ１５の係止爪１５ａが取付部２９の底壁の表面であって開口の周辺部に係合することで行われる。
【００１８】
（１−５）装着部
装着部３１を図４及び図５を主に使用して説明する。
装着部３１は、複数個（ここでは３個である。）の装着具１０１から構成される。３個の装着具１０１は、搭載部２７の表面であって光源カバー部３３の外側部分を周方向に等間隔をおいた３個所にねじ体１０３により固定されている。
装着具１０１は、後述の後カバー７１の後端部を搭載部２７の表面に当接させた状態で搭載部２７の開口２６を中心として後カバー７１を所定方向に回転させたときに、後カバー７１の係合凸部８１（図３参照）が挿入して係合する係合凹部１１９を有している。なお、装着具１０１について後で詳細に説明する。
【００１９】
（１−６）光源カバー部
光源カバー部３３を図２〜図４を主に使用して説明する。
光源カバー部３３は光源部２３を表側から覆う。光源カバー部３３は複数個（例えば４個である。）のカバー体５１からなる。カバー体５１は表側から見たときに円環を１／４にしたような形状をしている。カバー体５１は横断面において中央部が張り出すドーム状をしている。カバー体５１の外周部分が搭載部２７の光源カバー取付領域に取り付けられる。
【００２０】
（１−７）回路収容部
回路収容部３５を図３を主に使用して説明する。
回路収容部３５は、偏平な有底筒状をし、底壁に開口５３を有している。底壁の表面（内面）に回路基板４７が取り付けられ、開口５３の周辺部に取付部２９が取り付けられる。回路収容部３５は筒壁の前端に外鍔部５４を有し、当該外鍔部５４が搭載部２７に固定される。
【００２１】
（１−８）センタカバー部
センタカバー部３７を図３及び図４を主に使用して説明する。
センタカバー部３７は搭載部２７の開口２６を覆う状態で搭載部２７の開口２６の周辺部に取り付けられる。センタカバー部３７は、筒部５５と、筒部５５の前端開口を開閉自在に閉じる蓋部５７とを有している。ライト本体１１をアダプタ１５に取り付ける際には蓋部５７を開状態にして行われる。なお、蓋部５７には常夜灯５９が設けられている。
【００２２】
（２）透光性カバー
透光性カバー１３は、図２及び図３に示すように、ライト本体１１に取り付けられる後カバー７１と、後カバー７１に付け外し自在に取り付けられる前カバー７３とを有する。
【００２３】
（２−１）後カバー
後カバー７１を図２〜図４を主に使用して説明する。
後カバー７１は環状をしている。ここでは、円板状の搭載部２７に対応して円環状をしている。後カバー７１は、円環状の平坦部７５と、平坦部７５の外周縁から後方へと延伸する外筒部７７と、平坦部７５の内周縁から後方へと延伸する内筒部７９とを有している。
内筒部７９の後端縁には周方向に間隔を置いて円環の中心に向かって張り出する係合凸部８１が設けられている。内筒部７９には前カバー７３の筒状部８７の後端部分が嵌合する嵌合溝８３と前カバー７３の係合凸部９５が係合する係合凹部８４とを有している。
後カバー７１は透明な透光性材料から構成されている。平坦部７５は光を拡散させるダイヤカット模様を裏面に有する。
【００２４】
（２−２）前カバー
前カバー７３を図２及び図３を主に使用して説明する。
前カバー７３は、中心に開口を有するドーム状部８５と筒状部８７とからなる第１カバー体８９と、第１カバー体８９の中央に配される第２カバー体９１と、第１カバー体８９と第２カバー体９１との間に介在する第３カバー体９３とを有している。
第１カバー体８９と第２カバー体９１は、透光性材料樹脂に拡散剤（例えば、シリコーン粒子）が混入されてなる、所謂乳白色カバーである。
第３カバー体９３は透明な透光性材料から構成され、裏面が光を拡散させるダイヤカット面となっている。
第１カバー体８９の筒状部８７には外側に突出する係合凸部９５を有し、当該係合凸部９５が後カバー７１の係合凹部８４と係合する。
【００２５】
３．装着具
装着具１０１を図５〜図７を主に使用して説明する。
装着具１０１は装着具本体１０５とばね体１０７とから構成される。装着具１０１は透光性カバー１３がライト本体１１に装着される際に装着音を発生する音発生手段を有している。なお、本実施形態の音発生手段は透光性カバー１３がライト本体１１から取り外される際にも音を発生する。
本実施形態では、上記したように、シーリングライト１を前側から見たときに、透光性カバー１３の中心軸を回転軸として第１の方向（ここでは、時計まわり）に回転移動させたときに透光性カバー１３の係合凸部８１が装着部３１（装着具１０１）の係合凹部１１９に係合（装着）する。
また、透光性カバー１３の中心を回転軸として第２の方向（ここでは、反半時計まわり）に回転移動させたときに透光性カバー１３の係合凸部８１が装着部３１（装着具１０１）の係合凹部１１９から係合状態が外れて取り外される。なお、第１の方向と第２の方向は透光性カバー１３の回転方向であって互いに反対向きである。
【００２６】
（１）装着具本体
装着具本体１０５を図５及び図６を主に使用して説明する。
装着具本体１０５はコ字状部１０９と蓋部１１１とを有する。装着具１０１はコ字状部１０９における横断面での開口が搭載部２７の外周縁に向かう（外周縁側に位置する）状態で搭載部２７に取り付けられる。
コ字状部１０９は、透光性カバー１３の着脱の際の回転方向に対して直交する断面形状が「コ」字状をし、回転方向に延伸する。蓋部１１１は、コ字状部１０９の長手方向であって透光性カバー１３の装着の際の回転方向進行側に存在する端部側を塞いでいる。なお、装着具本体１０５及び装着具１０１の長手方向における蓋部１１１と反対側は、透光性カバー１３の係合凸部８１が出入するため、反対出入口側や出入口側端部とする。
コ字状部１０９は前壁１１３と後壁１１５と連結壁１１７とを有する。連結壁１１７は、前壁１１３と後壁１１５における搭載部２７の中心側の端縁同士を連結する。なお、後壁１１５は搭載部２７側に位置する。
【００２７】
前壁１１３と後壁１１５とは搭載部２７の表面と略平行に設けられている。前壁１１３と後壁１１５との間の空間が透光性カバー１３の係合凸部８１の着脱時に移動するための空間であり、係合凹部１１９を構成する。図５において、係合凹部１１９の引き出し線は、連結壁１１７の引き出し線と区別するために、先端を矢印としている。
なお、正確には、透光性カバー１３の係合凸部８１の前面が係合凹部１１９を構成する前壁１１３の後面に当接して係止（支持）され、透光性カバー１３の装着部３１からの落下が防止される。
後壁１１５は、ねじ体１０３が挿通するための挿通孔（図示省略）と、ばね体１０７を装着具１０１に固定するための固定孔１２３とを有している。ここでは、固定孔１２３は挿通孔に対して装着具１０１の長手方向の両側に存在している。
前壁１１３は後壁１１５の挿通孔の前方にねじ体固定用孔１２５を有している。ねじ体固定用孔１２５は、ねじ体１０３を搭載部２７に固定する際にドライバを挿通させるための孔である。前壁１１３は長手方向の出入口側の端部に近い部位に後壁１１５に向かう突起１２７を有している。
【００２８】
透光性カバー１３の係合凸部８１が装着具１０１の係合凹部１１９の内部であって蓋部１１１と突起１２７との間に位置している場合、係合凸部８１の係合凹部１１９内での移動が規制される。つまり、蓋部１１１と突起１２７との間の領域が係合凸部８１の移動を規制する規制領域である。
前壁１１３における長手方向の出入口側部分が係合凹部１１９へのガイド１２８となっている。ガイド１２８は前壁１１３における平坦部分から長手方向に離れるに従って前方へと張り出すように傾斜している。
連結壁１１７は、ばね体１０７用のばね体用孔１２９と、ばね体用孔１２９を覆う被覆片１３１とを有している。ばね体用孔１２９を連結壁１１７の厚み方向から見たときに、ばね体用孔１２９は四角形状をしている。被覆片１３１は、四角形を構成する一辺（連結壁１１７における出入口側に位置する辺）を残した３つの辺に相当する部位に貫通溝を有し、３つの貫通溝で囲まれた部分が裏側へと曲げられて被覆片１３１が構成されている。
装着具本体１０５は、例えば１枚の金属板を折り曲げて加工されている。ここでの蓋部１１１はコ字状部１０９の前壁１１３、後壁１１５、連結壁１１７の各壁に連続する部分が内側に折り曲げられることで構成されている。
【００２９】
（２）ばね体
ばね体１０７を図５〜図７、特に図７を主に使用して説明する。
ばね体１０７は金属製の薄板により構成されている。ばね体１０７は、装着具本体１０５に装着される装着部１５１と、ばね部１５３とを有している。ばね部１５３が連結壁１１７のばね体用孔１２９から係合凹部１１９内へと延出するようにばね体１０７が装着具本体１０５に設けられる。
装着部１５１は、後壁１１５に当接する後当接部分１５５と、連結壁１１７に当接する連結当接部分１５７と、後当接部分１５５から前方に延出して後壁１１５の固定孔１２３に係合する係合部分１５９とを有する。係合部分１５９は後当接部分１５５の長手方向の両側から前方へ延出した後に後方外側へと折り曲げられた形状をしている。後当接部分１５５は貫通孔１６１を中央部分に有している。貫通孔１６１はねじ体１０３のねじ部が挿通するための孔である。連結当接部分１５７は長手方向に沿って延びる補強用リブ１６３を有している。
【００３０】
ばね部１５３は、係合凸部８１が係合凹部１１９内を規制領域に向かって移動する際（装着方向である。）に規制領域の手前側に位置するように設けられている。
ばね部１５３は、連結壁１１７の裏側からばね体用孔１２９を通過して係合凹部１１９内へと延出する延出部分１６５と、延出部分１６５の先端から連結壁１１７側へと折り返された折り返し部分１６７とを有する。
折り返し部分１６７は、係合凹部１１９内を装着方向及び取り外し方向に移動する透光性カバー１３の係合凸部８１と接触する位置まで延出している。ばね部１５３は弾性変形可能に構成されている。なお、係合凹部１１９内を移動する係合凸部８１に折り返し部分１６７が接触して変形すると、折り返し部分１６７は連結壁１１７に接触するように構成されている。
【００３１】
４．透光性カバーの装着
透光性カバー１３のライト本体１１への装着について図８説明する。
なお、図８では、係合凹部１１９の内部が分かるように、装着具本体１０５の前壁１１３を取り除いている。
まず、搭載部２７上に間隔をおいて隣接する装着具１０１の間に係合凸部８１が位置するように透光性カバー１３をセットし、係合凸部８１が装着具１０１の係合凹部１１９内に進入するように透光性カバー１３を回転させる。なお、回転は、上記したように、透光性カバー１３を前側から見たときの中心を回転軸としている。
【００３２】
透光性カバー１３の回転により係合凸部８１は、係合凹部１１９に進入した後、同図の（ａ）に示すようにばね体１０７のばね部１５３に近づく。係合凸部８１は、前方から見ると突出方向に先細りする台形状をしている。
これにより、透光性カバー１３がさらに回転して係合凸部８１が係合凹部１１９内を進行すると、係合凸部８１の回転前進側の傾斜面８１ａにばね体１０７のばね部１５３が接触した後、同図の（ｂ）に示すようにばね部１５３が連結壁１１７側へと変形する。
透光性カバー１３がさらに回転して係合凸部８１が係合凹部１１９内を蓋部１１１側へと近づくと、同図の（ｃ）に示すように係合凸部８１の回転後進側の傾斜面８１ｂからばね部１５３が離れる。この際に同図の（ｃ）中の矢印で示すようにばね部１５３が振動して係合凸部８１と連結壁１１７との少なくとも一方を叩く。これにより、係合凸部８１の通過（移動）に合わせて音が発生する。
【００３３】
係合凸部８１の前面（装着具本体１０５の前壁１１３と対向する麺）のほぼ中央に前壁１１３側に突出する突起８１ｃを有している。係合凸部８１が同図の（ｃ）に示すようにばね部１５３から離れるのに合わせて、突起８１ｃが前壁１１３の突起１２７を超えるように突起８１ｃ及び突起１２７の位置関係が決定されている。このため、係合凸部８１の係合凹部１１９内の移動によりばね部１５３で音が発生すると、透光性カバー１３の係合凸部８１が係合凹部１１９の固定位置に達したこととなる。
つまり、透光性カバー１３をライト本体１１に装着するために回転させたときに、装着具１０１と係合凸部８１との間で音が発生すると、透光性カバー１３の装着が完了したことになる。従って、使用者は、装着具１０１で音が発生する（音が聞こえる）まで透光性カバー１３を回転させればよく、透光性カバー１３の装着を確実に行えることができる。
【００３４】
＜変形例＞
以上、実施形態に係る照明装置を説明したが、この実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００３５】
１．ライト
実施形態における光源部２３はＬＥＤ２１により構成されていたが、光源部は、例えば、蛍光灯、有機ＥＬ素子等により構成されてもよい。
実施形態のシーリングライト１は調光及び調色可能に構成されていたが、例えば、調光のみ可能な構成であってもよいし、調色のみ可能な構成であってもよいし、また、光度及び光色が一定な構成であってもよい。
実施形態ではシーリングライトを遠隔操作するリモコンについて特に説明していないが、照明装置はリモコンを備えてもよい。
【００３６】
実施形態の透光性カバー１３は前側から見たときに円形状をしていたが、他の形状であってもよい。他の形状としては、正方形状、長方形状、正四角形以外の正多角形状、楕円形、長円形状等である。この場合、係合凸部又は係合凹部を設ける部分を円形状にすることで実施できる。つまり、実施形態の後カバー７１の内筒部７９を有し前カバーの形状を変えたような透光性カバーであってもよい。
実施形態では透光性カバー１３を回転移動させていたが、例えば、透光性カバーを一方向に直線的に移動（スライド）させるような場合にも適用できる。
【００３７】
２．装着部
（１）全体
実施形態の装着部３１は３個の装着具１０１を有していたが、４個以上あってもよい。装着部は装着具を有しない構造としてもよい。例えば、搭載部を金属板で構成し、実施形態の装着具１０１の前壁１１３と連結壁１１７とに相当する部分を切り欠いてＬ字状に折り曲げることで実施できる。
ばね体１０７は、ねじ体１０３や係合部分１５９により装着具本体１０５に固定されているが、例えば、溶接等により装着具本体１０５に固定してもよい。
（２）装着具
実施形態の装着具１０１は前壁１１３、後壁１１５及び連結壁１１７を有している。しかしながら、装着具は少なくとも係合凸部が移動でき且つ係合するための前壁を有していればよく、例えば搭載部の表面と装着具の前壁とで係合凹部を構成してもよい。この場合、前壁を搭載部に固定するための固定部が必要である。
実施形態の装着具１０１は蓋部１１１を有していたが、蓋部を他の部材で構成してもよい。他の部材としては、搭載部を構成する部材、ばね体、蓋部専用の部材等がある。
【００３８】
３．その他
実施形態の装着具１０１（装着部３１）は係合凹部１１９を有し、透光性カバー１３は係合凸部８１を有している。しかしながら、装着部が係合凸部を有し、透光性カバーが係合凹部を有してもよい。この場合、透光性カバーが音発生手段を有するようにしてもよい。
【符号の説明】
【００３９】
１    シーリングライト
１１    ライト本体
１３    透光性カバー
３１    装着部
８１    係合凸部
１０１    装着具
１０３    装着具本体
１０７    ばね体（音発生手段）
１１９    係合凹部
【図１】
2016219161.tif 000003
【図２】
2016219161.tif 000004
【図３】
2016219161.tif 000005
【図４】
2016219161.tif 000006
【図５】
2016219161.tif 000007
【図６】
2016219161.tif 000008
【図７】
2016219161.tif 000009
【図８】
2016219161.tif 000010